(57)【要約】【課題】  現在、過去、未来のそれぞれの時間または時刻と、空間を指定して、メッセージ通信を行う。  【解決手投】  時空間オブジェクトがメッセージをインターセプトし、あるいは時空間オブジェクト自ら、即時に関連のある管理対象オブジェクトにメッセージを送信、または、指定未来時刻までメッセージを保持、または、過去のログを検索するメッセージを作成し送信する処理を行うことで、時空間通信を実現する。  【選択図】  図１５
2005006290.tif 000002
【特許請求の範囲】
【請求項１】
制御装置が、地理的空間内に存在している少なくとも一つの対象物にメッセージ送信を行う時空間通信システムであって、
前記制御装置は、
空間と、未来時刻と、メッセージの指定を受け付け、
前記空間と前記未来時刻を用いて構成する未来時空間を特定し、
当該未来時空間に、存在すると推定する対象物を特定し、
前記特定した対象物に対して、前記メッセージを送信する
ことを特徴とする時空間通信システム。
【請求項２】
請求項１記載の時空間通信システムにおいて、
前記未来時空間は、前記空間を、前記現在時刻から前記未来時刻までの時間で限定して構成する
ことを特徴とする時空間通信システム。
【請求項３】
請求項１記載の時空間通信システムにおいて、
開始未来時刻から終了未来時刻までの未来時間を一つ以上構成し、
前記未来時空間は、前記空間を、前記一つ以上の未来時間で、限定して構成する
ことを特徴とする時空間通信システム。
【請求項４】
請求項１記載の時空間通信システムにおいて、
前記未来時空間は、前記空間を、一以上の前記未来時刻で限定して構成する
ことを特徴とする時空間通信システム。
【請求項５】
制御装置が、地理的空間内に存在している少なくとも一つの対象物にメッセージ送信を行う時空間通信システムであって、
前記制御装置は、
空間と、過去時刻と、メッセージの指定を受け付け、
前記空間と前記過去時刻を用いて構成する過去時空間を特定し、
当該過去時空間に、存在したと判断する対象物を特定し、
前記特定した対象物に対して、前記メッセージを送信する
ことを特徴とする時空間通信システム。
【請求項６】
請求項５記載の時空間通信システムにおいて、
前記過去時空間は、前記空間を、前記過去時刻から前記現在時刻までの時間で限定して構成する
ことを特徴とする時空間通信システム。
【請求項７】
請求項５記載の時空間通信システムにおいて、
開始過去時刻から終了過去時刻までの過去時間を一つ以上構成し、
前記過去時空間は、前記空間を、前記一つ以上の過去時間で限定して構成する
ことを特徴とする時空間通信システム。
【請求項８】
請求項５記載の時空間通信システムにおいて、
前記過去時空間は、前記空間を、一以上の前記過去時刻で限定して構成する
ことを特徴とする時空間通信システム。
【請求項９】
請求項１に記載の時空間通信システムにおいて、
前記制御装置は、
前記対象物の特定において、
前記未来時空間を指定する情報を、前記対象物に送信し、
前記対象物は、自身が前記未来時空間に属していることになるかを調べ、
属していると推定する場合には、前記制御装置に、属していると推定することを通知し、
前記制御装置は、前記通知によって、前記特定を行う
ことを特徴とする時空間通信システム。
【請求項１０】
請求項９記載の時空間通信システムにおいて、
前記制御装置は、
前記未来時空間が示す空間を包含する空間に現在属している前記対象物、または、
前記対象物の過去の移動ベクトルから前記未来時空間に属している可能性がある前記対象物、
を特定し、
前記可能性がある対象物に、前記未来時空間を指定する情報を送信する
ことを特徴とする時空間通信システム。
【請求項１１】
請求項５記載の時空間通信システムにおいて、
前記制御装置は、
前記対象物の特定において、
前記過去時空間を指定する情報を、前記対象物に送信し、
前記対象物は、自身が前記過去時空間に属していたかを調べ、
属していた場合には、前記制御装置に、属していたことを通知し、
前記制御装置は、前記通知によって、前記特定を行う
ことを特徴とする時空間通信システム。
【請求項１２】
請求項１１記載の時空間通信システムにおいて、
前記制御装置は、前記対象物の過去の位置座標から、前記過去時空間に属していた可能性がある対象物を特定し、
前記可能性がある対象物に、前記過去時空間を指定する情報を送信する
ことを特徴とする時空間通信システム。
【請求項１３】
請求項１１に記載の時空間通信システムにおいて、
当該過去時空間を指定する情報を送信された前記対象物は、当該過去時空間を指定する情報を用いて、当該対象物の現在の状態または過去の状態を調べ、
調べた結果を前記制御装置へ返信する
ことを特徴とする時空間通信システム。
【請求項１４】
制御装置が、地理的空間内に存在している少なくとも一つの対象物にメッセージ送信を行う時空間通信システムであって、
前記制御装置は、
空間と、時刻または時間と、メッセージの指定とを受け付け、
前記空間と前記時刻または前記時間を用いて構成する時空間を特定し、
当該時空間に、存在する前記対象物に対して、前記メッセージを送信し、
前記メッセージを送信された前記対象物は、
自己が前記メッセージの送信対象であるか否かを判断し
送信対象であると判断した、前記メッセージを送信された前記対象物は、
前記メッセージに対する応答を前記制御装置に返信する
ことを特徴とする時空間通信システム。
【請求項１５】
請求項１４記載の時空間通信システムにおいて、
表示装置を備え、
前記時空間を構成する空間を明示する地図を前記表示装置に表示させ、
前記時空間に存在する前記対象物の種類、個数、および各対象物の状況または状態のいずれかを、前記地図上に表示させる
ことを特徴とする時空間通信システム。
【請求項１６】
請求項１４記載の時空間通信システムにおいて、
前記制御装置は、
前記特定された情報を分析して、
情報を返信した前記対象物に、さらなるメッセージを送信する
ことを特徴とする時空間通信システム。
【請求項１７】
請求項１５記載の時空間通信システムにおいて、
前記制御装置は、
前記時空間に存在する前記対象物から受信した前記応答を前記地図上に表示させる
ことを特徴とする時空間通信システム。
【請求項１８】
請求項１５記載の時空間通信システムにおいて、
前記制御装置は、
前記時空間の、時刻または時間の指定を受け付け、
当該対象物から受信した前記応答を、指定された前記時刻または時間に応じて選択的に表示させる
ことを特徴とする時空間通信システム。
【発明の詳細な説明】
【技術分野】
【０００１】
本発明は、地理的空間内に、現在、過去、未来に存在する対象物との間で、メッセージ通信を行う時空間通信方法またはシステムに関する。
【背景技術】
【０００２】
位置や空間に関する情報をもった地理的空間データ（地図データ）を総合的に管理・加工し、視覚的に表示できる高度な分析や迅速な判断を可能にする技術として、地理情報システム（Ｇｅｏｇｒａｐｈｉｃ  Ｉｎｆｏｒｍａｔｉｏｎ  Ｓｙｓｔｅｍ、以後ＧＩＳと略す）がある。
【０００３】
ＧＩＳは、植生データ、気象データ、土地覆覆データ、防災データ、地域開発データ、人口統計データ、農業統計データ、土地利用データ、道路・河川台帳データ等を、地図データとリンクさせることにより、エリアマーケッティング、総合防災情報システム、景観シミュレーションなどのシステムとして使用することを可能とするものである。
【０００４】
地理的空間内の対象物の管理方法に関しては、たとえば特許文献１に記載の技術がある。当該発明は、利用者が希望する不動産物件の条件を利用者端末装置に入力すると、インターネットを介して、不動産情報データベースおよび地理情報データベースにアクセスし、検索結果はエリア毎の不動産物件の分布が地図上に表示され、希望するエリアを選択すると、そのエリアの地図上に不動産物件がマークで表示される。さらに、地図上の一つの不動産物件を選択すると、その不動産物件の詳細な情報と周囲の地図が表示され、希望の不動産物件が見つかると、利用者は、利用者端末装置から不動産仲介業者端末装置へアクセスし、仮契約できる。当該発明は、不動産物件を探す際に希望の不動産物件を簡単に探せる情報提供方法、装置、システムを提供しようとするものである。
【０００５】
さらに、対象者の位置を考慮した通信に関しては、たとえば特許文献２に記載の技術がある。当該発明は、メッセージの送信者が、メッセージの受信者を特定せずに、空間という条件を特定するだけで、該条件に合う不特定のユーザに対してメッセージを送信するものである。当該発明は、メッセージの送信者は、メッセージの受信者を特定せずに、空間（または、空間および時間）という条件を特定するだけで、該条件に合う不特定のユーザに対してメッセージを送信することができるので、移動中のユーザは、その場所（または、その場所およびその時間）に適したメッセージを受信することができ、空間的（または、空間的および時間的）に最適なユーザ間でのコミュニケーションを可能とするものである。
【０００６】
【特許文献１】特開２００２−１２３５８９号公報
【特許文献２】特開２０００−００４４８４号公報
【発明の開示】
【発明が解決しようとする課題】
【０００７】
しかしながら、特許文献１、特許文献２が開示する内容では、動的な情報の取り扱いが不十分である、管理対象物が一つに限られる、メッセージの送信相手を特定する必要がある、など、地理的空間内に存在する対象物との間でのメッセージ通信に関しては十分とはいえない。
【０００８】
さらに特許文献２が開示する内容では、当該場所（または、当該場所および時間）における管理対象のトラッキング（追跡）が必要となるが、リアルタイムで複数の管理対象のトラッキングを行うことは、システムに過負荷を与える場合がある。これを回避するために、トラッキングのための情報収集間隔を比較的長い時間にすると、当該管理対象が当該場所に属した場合においても、それを検知できなくなる可能性がある。
【課題を解決するための手段】
【０００９】
本発明は、地理的空間内（例えば地図データ等で）の表示されたオブジェクト（例えばアイコンオブジェクト等）と関連づけられた実際の対象物を取り扱うＧＩＳに関して、当該対象物の静的な情報（例えば、不動産の近辺地図、物件の間取り等）だけでなく、当該物件の具体的なリアルタイム状況（例えば、不動産周辺のライブ画像、人の出入り、騒音等、災害の状況）を知りたい場合などに要求される、当該オブジェクトと当該対象物との間での通信路の確保、またはセンサやカメラからの情報からの当該通信路を使ったメッセージデータ、ストリームデータの交換を可能とする。
【００１０】
また、本発明は、指定したただ一つの対象物の状況だけでなく、地理的空間上（例えば、地図上）の、ある特定空間の対象物の状態を纏めて知ることで、その空間の状況を網羅的に理解するような方法を提供する。
【００１１】
また、本発明は、地図データ上のオブジェクトを使って、常に移動しつづける対処員や顧客と通信する方法を提供する。これにより、地図データ上に、対処員や顧客などのリアルタイムの位置情報とリンクするオブジェクトを配置できるようになり、ＧＩＳを保守・警備サービスに利用することが可能となる。
【００１２】
また、本発明は、特定空間への一斉メッセージ通信方法を提供する。これにより、対処員、及び、顧客が滞在する地域付近で災害が発生した場合に、その災害の周辺にいる対処員や顧客にまとめて警告メッセージを送信することや、災害の周辺に配置されているセンサやカメラに詳細な情報を送るように指示を出すことを可能とする。
【００１３】
また、本発明は、地図データを利用した空間指定方法を提供する。これにより、地図データ等を使って上記特定空間を指定してメッセージを送信することを可能とする。
【００１４】
また、本発明は、センサやカメラなどへのメッセージ送信方法を提供する。これにより、未来時刻を指定して、カメラやセンサにメッセージを送信して、例えば定期的にセンサ情報や映像情報を送信させることが可能となる。
【００１５】
また、本発明は、過去の時間を指定して、過去の特定の時刻における上記の通信の実施を可能とする。これにより、過去時刻を指定して、カメラやセンサにメッセージを送信して、現時点において過去に起こった災害の原因を解明するためのデータを取得することが可能となる。より具体的には、たとえば、昨夜の発生した火事の原因を調べるために、火災が発生したビルに設置した全ての温度センサや、監視カメラ、または対処に奔走した対処員の挙動を、火事発生前３時間前から火事発生後１時間までの時系列方向に表示させることを可能とする。
【００１６】
また、本発明は、ある特定空間一定期間の特定時間あるいは時間帯に繰り返し注意を促すメッセージを配信することを可能とする。これにより、たとえば、災害・犯罪多発エリアの夜間の監視レベルを強化することが可能となる。
【００１７】
また本発明は、管理対象または管理対象が具備する通信装置に対して、上述した過去、現在、未来の時間または空間に関する情報を通知することを可能とする。これにより管理対象または管理対象の具備する通信装置は、上述の過去、現在、未来の時間または空間に、管理対象が属しているか否かをリアルタイムで自律的に判断することが可能となり、管理対象が増加した場合においても、リアルタイムトラッキングによるシステム過負荷を回避することが可能となる。
【００１８】
また本発明は、管理対象または管理対象の具備する通信装置に、上記過去、現在、未来の時間または空間に関する情報を通知する場合において、その通知する対象の限定を可能とする。これにより、時間的または空間的に、当該過去、現在、未来の時間または空間に属する可能性を考慮して、通知対象別に情報送付の要否を制御できるので、通信負荷、通信コストを低減させることが可能となる。
【００１９】
本発明の時空間通信方法または時空間通信システムは、その一態様において、本システムのメモリ空間上において、各管理対象と一対一の関係となるオブジェクトを生成する手段と（以後、この生成されたオブジェクトを管理対象オブジェクトと称す）、当該生成された管理対象オブジェクトと管理対象の間で通信路を生成する手段と、当該生成された通信路において、当該管理対象のステータス状況を当該管理対象オブジェクトに通知する手段と、当該管理対象オブジェクトに与えられたイベントに対する応答を実施し、またはそのイベントの内容を当該管理対象に通知する手段と、当該管理対象オブジェクトにおいて発生した各種イベントの内容を記録するための記憶領域を確保し、当該記憶領域に当該イベントの内容を記憶する手段と、当該管理対象が存在する位置を、本システムの地図データ上に表示する手段と、当該地図データ上において指定した空間と、現在、過去または未来の時間あるいは時刻と、メッセージを指定して、本システムのメモリ空間上において、オブジェクトを生成する手段と（以後、この生成されたオブジェクトを時空間オブジェクトと称す）、当該生成された時空間オブジェクトと当該管理対象オブジェクトの間で通信路を生成する手段と、当該時空間オブジェクトが、本オブジェクトがメッセージを通信する当該管理対象オブジェクトを検索する手段と、当該生成された時空間オブジェクトと当該管理対象オブジェクトの間でメッセージ通信を行う手段とを備える。
【発明の効果】
【００２０】
本発明によれば、現在、過去、未来のそれぞれの時間または時刻と、空間を指定して、メッセージ通信を行うことが可能となる。
【発明を実施するための最良の形態】
【００２１】
本発明の実施の形態について説明を行う。
【実施例１】
【００２２】
本実施例では、本サービスに契約した顧客（以後、単に「顧客」と称する）の家屋、オフィス、自動車、学校、コンビニエンスストア、アミューズメント施設、交通機関、その他の動産または不動産の物件に各種センサやカメラを設置、または、ＧＰＳレシーバモジュール、温度・湿度センサ、血圧・脈拍センサを具備した顧客の携帯電話やＰＨＳ等を使って、その動産または不動産の火災、盗難、その他の顧客の事故を検知し、必要に応じて対処員を派遣して、上記の火災、盗難に対処し、または顧客の救出を行う監視サービスについて説明する。
【００２３】
図１を用いて、本実施形態である、複数のカメラ、センサ、対処員端末、顧客端末、および管制卓装置を使った監視系システムについて説明する。カメラ４０はカメラ制御装置３０を介して、センサ６０はセンサ制御装置５０を介して、ネットワーク１０−２に接続され、管制官１２が操作する監視卓制御装置２０には、モニタ１４、マウス２４、キーボード２２が装備され、ネットワーク１０−１に接続される。管制官１２は、この監視卓制御装置２０を使って、本システムの実行を行う。操作卓制御装置２０は複数設置することも可能である。メッセージ通信装置７０−１、７０−２は、無線ネットワーク１０−３に接続しており各通メッセージ信装置は、その装置の所有者である複数の対処員１−１、顧客１−２が所有していることを示している。また、メッセージ通信装置７０の管理対象は、自然人だけでなく、それ以外の有体物であってもよい。
【００２４】
なおネットワーク１０−１，１０−２，１０−３のネットワークはゲートウェイ１０−１２，１０−１３で連結されており、上記ネットワークは、有線、無線、その他ネットワークの種類に関しては問わない。監視システムの運用時には、操作卓制御装置２０からの指示に基づいて、あるいは、カメラ４０からの映像が、ネットワーク１０を介してモニタ１４へ表示される。センサ６０は、火災、侵入などの異常を検知すると、そのアラーム情報を、操作卓制御装置２０を介して管制官１２に知らせる。
【００２５】
図２は監視卓制御装置２０のハード構成を示した図であり、ネットワークインターフェースカード１１２、ＣＰＵ１０２、メモリ１０４、キーボード２２やマウス２４を制御する入出力コントローラ１０６、ハードディスク１０５を接続するハードディスクコントローラ１０７、そしてモニタコントローラ１０８がバスなどの内部通信線（以下、バスという）１１０によって接続されている。
【００２６】
図３は、カメラ制御装置３０のハードウェア構成を示した図であり、カメラ４０を制御するカメラコントローラ１３６、ＣＰＵ１３２、メモリ１３４、ネットワークインターフェースカード１３０、ハードディスク１３５を接続するハードディスクコントローラ１３７がバス１３８で接続されている。
【００２７】
図４はセンサ制御装置５０のハード構成を示した図であり、センサ６０に接続されセンサの設定やセンサからの異常検出信号を読み込むセンサコントローラ１４６、ＣＰＵ１４２、メモリ１４４、及びネットワークインターフェースカード１４０、ハードディスク１４５を接続するハードディスクコントローラ１４７がバス１４８によって接続されている。
【００２８】
図５に、メッセージ通信装置７０のハードウェア構成を示す。メッセージ通信装置７０は、ネットワーク接続コントローラ７０４、ＣＰＵ７２０、メモリ７２２、パソコン等の場合はキーボード、携帯電話やＰＤＡ等の場合はテンキー等のキー入力インターフェース７０８を制御するキー入力コントーラ７０６、マイク７１４、スピーカ７１２を制御する音声入出力コントローラ７１０、パソコン、携帯およびＰＤＡ等のモニタ７１８を制御するモニタコントローラ７１６、ＧＰＳレシーバ７２６から位置情報を取得するＧＰＳレシーバモジュール７２４、温度・湿度センサ７３０から温度・湿度情報を取得する温度・湿度センサモジュール７２８、血圧・脈拍センサ７３４から、血圧・脈拍情報を取得する、血圧・脈拍センサモジュール７３２、ハードディスク７３６を接続するハードディスクコントローラ７３７、カメラ７４０を接続するカメラコントローラ７３８が、バス７０２によって接続されたハードウェア構成を有している。
【００２９】
なお本実施例では、メッセージ通信装置７０が具備または接続できるセンサおよびセンサモジュールとして、上記に示すものを用いて説明するが、実際にはこのような限定は必要はなく、光センサ、赤外線センサ、熱電対、ガスセンサ、磁気センサ、超音波センサ、振動・加速度センサ、電流センサ、圧力センサ、ひずみセンサ、風速センサ、その他のセンサと、それらの情報を取得する各種モジュールをメッセージ通信装置７０の本体に具備しても、または本体外部と接続しても良い。
【００３０】
図６は監視卓制御装置２０のメモリ１０４に格納されているソフトウェアの構成を示した図である。ネットワークインターフェースカード１１２を制御するためのネットワークインターフェースカード制御ドライバ１７４、ネットワーク１０−１，１０−２，または１０−３を介して指定された装置との間で通信を実施する通信管理モジュール１７２、送信キュー１６６、受信キュー１７０、モニタ１４、キーボード２２、マウス２４、またはハードディスク１０５とのデータの入出力を制御する入出力装置制御ドライバ１５０が格納されている。
【００３１】
地図またはその他の情報が記憶されている、ハードディスク１０５あるいはメモリ１０４との間でＧＩＳ情報の読み書きを行い、それらの情報を入出力装置制御ドライバ１５０を介してモニタ１４に表示するＧＩＳモジュール１８２、上記表示または操作のためのインターフェースをリモートのメッセージ通信装置７０に提供するリモートログインサーバモジュール１８１、カメラ制御装置３０、センサ制御装置５０、またはメッセージ通信装置７０から送信されてくる映像またはアラーム情報を制御する映像・アラーム制御モジュール１７６、カメラ制御装置３０、センサ制御装置５０，メッセージ通信装置７０から送信されてくるトラッキング情報を制御するトラッキングモジュール１７８、時空間通信を制御する時空間通信制御モジュール１８０、本システムの管理対象と関連付けられたオブジェクトをメモリ１０４上に作成し、当該オブジェクトの操作、または消滅を実施するオブジェクト管理モジュール１８４が格納されている。
【００３２】
なお、各実施例中に記載される「オブジェクト」とは、現実の世界に存在する上記各対象物（対処員端末、カメラ、センサ等）に対応したプログラムをCPUが実行することにより具現化されるプロセスであって、他のオブジェクトとの通信機能を始め、当該オブジェクトに要求される機能を実現するものである。
【００３３】
例えば、ある対処員にメッセージを送りたい場合には、オブジェクト間通信機能を用いて、対処員オブジェクトにメッセージ送信を行うことにより、当該対処員へ当該メッセージを送信させることが可能となる。
【００３４】
図７は、本実施例の帯域管理対象ノードであるカメラ制御装置３０のメモリ１３４に実装されるソフトウェア構成を示した図であり、ネットワークインターフェースカード制御ドライバ２０１、通信管理モジュール２０２、カメラ４０を制御するためのカメラ制御ドライバ２１８、ハードディスク１３５を制御するための入出力装置制御ドライバ２１９が格納されている。またこれらのソフトを利用するモジュールとしてカメラ制御モジュール２１６が格納されており、それぞれ通信管理モジュール２０２と受信キュー２０４、送信キュー２０６を介して連携する。
【００３５】
図８はセンサ制御装置５０のメモリ１４４内に格納されているソフトウェアの構成を示した図であり、ネットワークインターフェースカード制御ドライバ２２０、通信管理モジュール２２２、センサ６０を制御するためのセンサ制御ドライバ２３８、ハードディスク１４５を制御するための入出力装置制御ドライバ２３２−２が格納されている。また、これらのソフトウェアを利用するモジュールとしてセンサ制御モジュール２３６、アラーム送信モジュール２３１が格納されており、それぞれ通信管理モジュール２２２と受信キュー２２４、送信キュー２２６を介して連携する。
【００３６】
図９に、メッセージ通信装置７０のソフトウェア構成を示す。
【００３７】
メッセージ通信装置７０のソフトウェア構成は、ネットワーク１０−３との間でメッセージの送受信を実施するネットワーク制御ドライバ７７２と通信管理モジュール７７０、送受信メッセージの一時的な格納を実施する送信キュー７６６、および受信キュー７６８、メッセージ通信装置７０においてセンサやモニタ、キーボード等との情報交換を実施するための、入出力装置制御ドライバ７５０、センサ制御処理モジュール７５２、音声制御処理モジュール７５４、映像制御処理モジュール７５６、キー入力処理モジュール７５８、モニタ制御処理モジュール７６０、管制卓制御装置２０のリモートログインサーバモジュール１８１と連携して、当該管制卓制御装置２０のモニタに表示される画面およびインターフェースを提供するリモートログインモジュール７６２からなる。
【００３８】
上記の各ソフトウェアは、各装置上でＣＰＵが実行することにより、所定の機能を実現する。また、各ソフトウェアは、あらかじめ、上記各装置のメモリ内に格納されていても良いし、必要なときに、当該装置が利用可能な、着脱可能な記憶媒体または通信媒体（すなわち通信回線または通信回線上の搬送波やディジタル信号）を介して、上記メモリに導入されてもよい。
【００３９】
図１０に、管制卓装置２０のモニタ１４に表示される地図ビューア１４３上の地図１４１を示す。地図１４１は、管制官１２の指示により、その表示範囲が指示されることによって表示されることが可能であるし、カメラ制御装置３０、またははセンサ制御装置４０から得られたアラーム情報から、火災、盗難等の事件が発生したと判断される発生地点を中心として表示されることも可能である。地図１４１上には、物件アイコンオブジェクト１４１−１、カメラアイコンオブジェクト１４１−２、センサアイコンオブジェクト１４１−３、対処員アイコンオブジェクト１４１−４、顧客アイコンオブジェクト１４１−５が表示されている。
【００４０】
これら地図上１４１上に配置されているアイコンオブジェクトは、当該地図１４１が表示された時点における各アイコンオブジェクトに対応する現実の対象物（物件、カメラ、センサ、対処員、および顧客）の位置を示しており、例えば、対処員や顧客が移動すれば、それに対応するアイコンオブジェクトも地図上で移動する。さらに、地図１４１上の各アイコンオブジェクトを、図２のマウス２４のようなポインティグデバイスを用いてアイコンオブジェクトを指示することによって、その現実の対象物に対する操作を行うことが可能である。
【００４１】
図１１を用いて、本監視システムにカメラ、センサ、顧客、対処員が参入、または撤収を要求する時に、カメラ制御装置３０、センサ制御装置４０、メッセージ通信装置７０のそれぞれと、監視卓制御装置２０との間で、参入、または撤収に関する処理が行われる場合において、地図１４１で行われる処理の内容について説明する。対処員が対処員の所有するメッセージ通信装置７０−１の電源を入力する、またはメッセージ通信装置７０−１のインターフェースを介してシステム参入の操作を行うと、当該メッセージ通信装置７０−１から、当該対処員の位置情報、当該対処員の認識番号、システム参入要求、およびその他必要な情報を塔載したメッセージを、図１のネットワーク１０−３、ゲートウェイ１０−１３、ネットワーク１０−１を介して、監視卓制御装置２０に送達する。これらの位置情報のフォーマットとしては、例えばＮＭＥＡ−０１８３（Ｎａｔｉｏｎａｌ  Ｍａｒｉｎｅ  Ｅｌｅｃｔｒｏｎｉｃｓ  Ａｓｓｏｃｉａｔｉｏｎが発行している”ＮＭＥＡ  ０１８３Ｉｎｔｅｒｆａｃｅ  Ｓｔａｎｄａｒｄ”に詳しく記載されている）等を用いてもよい。
【００４２】
監視卓装置２０は、当該メッセージを受信すると、モニタ１４上の地図ビューア１４３に、対処員アイコンオブジェクト１４１−１を点滅表示させ、当該参入許可ビューア１６０を表示する。管制官１２は、「許可」「拒否」のそれぞれのボタンを押下することで、システム参入許可あるいは拒否の内容を塔載したメッセージを、当該メッセージ通信装置７０−１に返送し、それぞれ当該対処員のシステムへの参入を許可あるいは拒否することができる。また、管制官１２は、「詳細」のボタンを押下することで、ステータスビューア１５１を表示させ、システムに参入を希望する対処員について知ることができる。さらに、管制官１２は、「通信」のボタンを押下することで、メッセージビューア１５３を表示させ、当該対処員と連絡を取ることができる。
【００４３】
また、対処員が本システムからの撤収を行う場合は、対処員が対処員の所有するメッセージ通信装置７０−１の電源を切る、またはメッセージ通信装置７０−１のインターフェースを介してシステム撤収の操作を行うと、当該メッセージ通信装置７０−１から、当該対処員の位置情報、当該対処員の認識番号、システム撤収要求、およびその他必要な情報を塔載したメッセージを、図１のネットワーク１０−３、ゲートウェイ１０−１３、ネットワーク１０−１を介して、監視卓制御装置２０に送達する。
【００４４】
監視卓装置２０は、当該メッセージを受信すると、モニタ１４上の地図ビューア１４３に、対処員アイコンオブジェクト１４１−１を点滅表示させ、撤収許可ビューアを表示する。撤収許可ビューアは、参入許可ビューア１６０のメッセージとして、「対処員の撤収要求がありました」と表示される。管制官１２は、「許可」「拒否」のそれぞれのボタンを押下することで、システム撤収許可あるいは拒否の内容を塔載したメッセージを、当該メッセージ通信装置７０−１に返送し、それぞれ当該対処員のシステムへの撤収を許可あるいは拒否することができる。また、管制官１２は、「詳細」のボタンを押下することで、ステータスビューア１５１を表示させ、システムに参入を希望する対処員について知ることができる。さらに、管制官１２は、「通信」のボタンを押下することで、メッセージビューア１５３を表示させ、当該対処員と連絡を取ることができる。
【００４５】
なお、本システムが対象とする対象物、および対象物を管理するサーバである、センサ制御装置３０、カメラ制御装置５０、顧客メッセージ通信装置７０−２の本システムの参入または撤収に関する手順は、上記対処員の本システムへの参入または撤収に関する手順と同一の手順で行う。この場合、本システムに参入すべき権限のない対処員メッセージ通信装置７０−１、顧客メッセージ通信装置７０−２、センサ制御装置３０、カメラ制御装置５０のそれぞれに関して、監視宅制御装置２０のオブジェクト管理モジュール１８４に、当該参入権限のある対象を予め登録しておくことによって、参入権限のチェックを行うようにしてもよい。
【００４６】
図１７を用いて、オブジェクト管理モジュール１８４によって、監視卓制御装置２０のメモリ１０４上に当該対処員のオブジェクトが生成される手順に関して説明する。
【００４７】
対処員１−１が対処員の所有するメッセージ通信装置７０−１の電源を入力する、またはメッセージ通信装置７０−１のインターフェースを介してシステム参入の操作を行うことによって、オブジェクト管理モジュール１８４は、メモリ１０４上に当該対処員オブジェクト１１４１−４を作成する。生成された当該対処員オブジェクト１１４１−４は、当該オブジェクトが所有する記憶領域として、ハードディスク１０５の一部の記憶領域１０５１を割り当てる。この記憶領域１０５１は、メッセージ通信装置７０本体に所有されているハードディスク７３６の一部として使うこともできる。
【００４８】
次に、対処員オブジェクト１１４１−４は、当該メッセージ通信装置７０−１から送られてきた対処員の位置情報を地図上の表示位置の座標に変換して、対処員アイコンオブジェクト１４１−４を表示させ、必要に応じて点滅等の処理を行わせる。
【００４９】
また、当該メッセージ通信装置７０−１の位置は、後述する通信路を経由して、定期的に対処員オブジェクト１１４１−４に伝えられ、対処員オブジェクト１１４１−４は必要に応じて、または適当な時間間隔で地図の表示位置の座標を変更することによって、当該対処員アイコンオブジェクト１４１−４が地図１４１上で移動するように見える。地図の表示位置の座標の変換は、地図オブジェクト１４１０に地理上の座標を持って問い合わせることによって取得する。当該地図オブジェクトは、地図１４１の表示時に生成され、地図の消去時に消滅する。
【００５０】
さらに、当該対処員オブジェクト１１４１−４は、当該メッセージ通信装置７０−１から送られてきた対処員の認識番号を使って、必要に応じて対処員プロファイルデータベース（以後データベースを単にＤＢと記載する）１０５２から、対処員のプロファイル情報を取得し、必要に応じて図１１のステータスビューア１５１を表示させる。なお、顧客用としては顧客プロファイルＤＢ１０５３、カメラまたはセンサ用には、監視デバイスプロファイルＤＢ１０５４がある。
【００５１】
さらに、当該対処員オブジェクト１１４１−４は、メッセージ通信装置７０−１との間に通信路を作成する。本通信路のプロトコル、またはコネクション型、非コネクション型等に関しては、特別な限定はない。監視卓制御装置２０のメモリ１０４上に当該対処員のオブジェクト１１４１−４が消滅する手順は、当該メッセージ通信装置７０−１から、システム撤収要求のメッセージを受け取り、上記に説明した管制官１２の処理を経た後、当該対処員のオブジェクト１１４１−４は消滅するが、後述する過去時空間の検索処理で使用するため、記憶領域１０５１は解放しない。上記の対処員対応のオブジェクト指向の管理対象の管理方法は、カメラ、センサ、顧客、管理方法に準用するものとする。なお各オブジェクト用の記憶領域１０５１には、時刻とその時刻に発生した当該オブジェクトに関わる各種のイベント（アラーム、メッセージ、画像、映像等）が記録されている。
【００５２】
図１２に、管制卓装置２０のモニタ１４上に表示されるウィンドウ、ビューア、または上記アイコンオブジェクトを操作し、現実の対象物に対する情報の取得、指示、その他を実施する様子を示す。管制官１２が、カメラアイコンオブジェクト１４１−２をマウス２４等で選択すると、当該カメラアイコンオブジェクト１４１ー２に関わるメニュー画面１４６−２が表示され、そのメニューの一つである「ステータス」を選択すると、ステータスビューア１４７−２が表示される。
【００５３】
当該ステータスビューア１４７−２には、名称、型名、設置場所住所、設定物件名、および当該カメラが捉えているライブ映像が表示される。また、上記メニュー画面１４６−２のメニューの別の一つである「プロパティ」を選択すると、当該カメラを管理するカメラ制御装置がアラームを発報する条件が記載されたプロパティビューア１４８−２が表示され、管制官１２の操作によって条件を変更することが可能であり、ここでは、アラーム発報の条件として「移動物体検知時」または「夜間のみ」を選ぶことができる。
【００５４】
なお、当該ライブ映像以外の情報は、管制卓制御装置２０のハードディスク１０５上の各オブジェクト用の記憶領域１０５１、またはメモリ１０４に格納されていても良いし、カメラ制御装置３０のハードディスク１３５またはメモリ１４４に格納されていても良い。以下、センサ制御装置５０、メッセージ通信装置７０に関しても同様とする。
【００５５】
管制官１２が、対処員アイコンオブジェクト１４１−４をマウス２４等で選択すると、当該対処員アイコンオブジェクト１４１−４に関わるメニュー画面１４９が表示され、そのメニューの一つである「プロパティ」を選択すると、プロパティビューア１５１−２が表示される。当該プロパティビューア１５１−２には、当該対処員の名前、生年月日、キャリア、担当セクション、および顔写真等が表示される。また、上記メニュー画面１４９のメニューの別の一つである「ステータス」を選択すると、ステータスビューア１５２に当該対処員の現在位置、方位、速度、および速度偏差等の数値が表示され、管制官１２に対処員１４１−４の現在の状態または状況を示すことが可能である。
【００５６】
さらに、上記メニュー画面１４９のメニューのさらに別の一つである「メッセージ」を選択すると、メッセージビューア１５３が表示され、メッセージおよびファイル等を当該対処員に送信することができる。
【００５７】
また、当該メッセージビューアの発呼ボタン１５３−１を押すことで、当該対処員１４１−４に自動的に電話をかけ、当該管制官１２は、管制卓２０に具備されたマイク２５、スピーカ２６を通じて当該対処員と会話を行うことも可能である。
【００５８】
また、対処員１４１−４から電話がかかってくると、その電話をかけてきた対処員と対応する対処員アイコンオブジェクト１４１−４が点滅し、メッセージ通知ビューア１５４が出現する。管制官１２が当該対処員と会話を行う場合には、「受信（ｏｒ  受呼）」ボタンを押して、管制卓２０に具備されたマイク２５、スピーカ２６を通じて当該対処員と会話を行うことが可能である。
【００５９】
また「無視」ボタンを選択した場合は、管制卓２０で受信または受呼は行わないことになる。
【００６０】
管制官１２は、複数の対処員を指定して（１５５）、その全員にメッセージを送信する、あるいは電話を発呼することも可能である。電話の場合は、３者以上によるグループ通話を行う。
【００６１】
センサアラームビューア１４２−２は、カメラ制御装置３０、またはセンサ制御装置４０からアラーム情報を受け取ると、その事案に対してユニークな案件番号を付与し、事案の概要を表示すると共に、その事案の発生した付近の地図１４１を含む地図ビューア１４３を表示する。
【００６２】
この地図１４１は、地図ビューアにある拡大ボタン１４３−１および縮小ボタン１４３−２で、地図１４１の拡大または縮小を行うことができる。地図１４１上の物件アイコンオブジェクト１４１−１が点滅することで、管制官１２は、当該物件からアラームの発報が行なわれたことを確認し、当該物件アイコンオブジェクト１４１−１をマウス２４等で選択すると、当該物件アイコンオブジェクト１４１−１に関わるメニュー画面１４４−２が表示され、そのメニューの一つである「プロパティ」を選択すると、プロパティビューア１４５が表示される。当該プロパティビューア１４５には、顧客名、顧客番号、契約サービス内容、および担当セクション、その他、物件の写真が表示される。
【００６３】
また、上記メニュー画面１４４−２のメニューの別の一つである「間取り図」を選択すると、その物件の間取り図１５０−２が表示される。当該間取り図１５０−２は、拡大または縮小のボタンを操作することで、拡大または縮小の表示ができ、さらに当該間取り図の中に、カメラアイコンオブジェクト、またはセンサアイコンオブジェクトが存在する場合には、上記カメラアイコンオブジェクトを選択することで、上記カメラアイコンオブジェクト１４１−２をマウス２４で選択した時と同様の操作を行うことが可能である。
【００６４】
管制官１２は、状態ベース対象検索ビューア１５６で、位置入力およびスケールを指示し、当該指定位置の地図１４１を表示することができる。さらに、対処員、センサ種別等の対象を指示することで、その対象と関連のあるアイコンオブジェクトを点滅させることができる。さらに、「物件に未着で２分以上停止状態の対処員」などのように、状態として定義されたステートメントを指示することで、正常な状態にない（物件未着状態で、事故に遭遇し、移動できない状態）と思われる対処員を、当該地図１４１の中で発見することができる。
【００６５】
さらに、管制官１２は、マウス２３等を使って、地図ビューア１４３上で表示される地図１４１の任意の空間を指定し、これを時空間オブジェクトとして定義することができる。この時空間オブジェクトについては後述する。
【００６６】
また、図９のリモートログインモジュール７６２と、図６のリモートサーバモジュール１８１を連携させることによって、対処員１−１、または顧客１−２が携帯するメッセージ通信装置７０の表示画面においても、図１１の管制端末２０のモニタ１４と同様の画面が取得でき、対処員１−１の権限に応じて、上記各種ビューア、および時空間オブジェクトの操作を行えるものとする。
【００６７】
図１３は、地図ビューア１４３上で表示される地図１４１の任意の空間を指定し、この空間に属する監視対象に対して指示を行う方法を示す図である。管制官１２は、マウス２３等を使って地図１４１の任意の空間を指定することによって、空間オブジェクト２００を生成する。さらに、空間オブジェクト２００をマウス等で操作することによって、当該空間オブジェクト２００に関わるメニュー画面２０２が表示され、そのメニューの一つである「ステータス」を選択すると、ステータスビューア２０４−２が表示され、上記空間オブジェクト２００で指定した空間に存在する、本システムの管理対象の情報が表示される。本実施例では、単に対象数を表示しているが、本ステータスビューア２０４−２から、図１２の１５２に示すような各管理対象の詳細なステータスを表示しても良い。
【００６８】
さらに、メニュー画面のメニューの一つである「即時通信」を選択すると、メッセージ送信画面２０６が表示される。さらに本メッセージ送信画面２０６の対象メニューから、空間オブジェクト２００で指定した空間に存在する管理対象を選択すると、その管理対象に対してメッセージを送るメッセージボックス２０６４が現われ、このメッセージボックスに当該対象物が理解可能なメッセージを記載する。
【００６９】
ここでは、温度センサを選択して、”Ｓｅｔ  Ａｌａｒｍ  ４０ｄｅｇ．Ｃ”と記載し、送信ボタン２０６６を押下することで、空間オブジェクト２００で指定した空間に存在する０個以上の温度センサ（当該空間オブジェクトに、温度センサが一つも存在しない場合も含む）を管理するセンサ制御装置４０に対して、”Ｓｅｔ  Ａｌａｒｍ  ４０ｄｅｇ．Ｃ（温度が４０度に至ったらアラームを発報せよ）”と言うメッセージを送信する。本メッセージは、センサ制御装置４０のセンサ制御モジュール２３６で受信され、図４のハードディスク１４５、またはメモリ１４４に格納される。そして、当該センサ制御装置４０は、自己管理する温度センサの温度の監視を開始し、当該メッセージの状況に至ったらアラームを発報する。
【００７０】
メッセージ送信画面２０８は、管理対象として「対処員」を選択し、メッセージ２０８２「放火多発地域。重点的にチェックのこと」を送信する様子を示すものである。本メッセージも上記に説明したものと同じ態様で、メッセージ通信装置７０−１に送信され、同装置のモニタに本メッセージが表示される。なお、メッセージ送信画面２０６の対象メニューの「制約なし」とは、空間オブジェクト２００で指定した空間に存在する管理対象の全てにメッセージを送信するものであり、メッセージの解釈は、当該管理対象側で独自に行う。この「制約なし」のメニューの使用例に関しては後述する。
【００７１】
図１８に別の例による空間オブジェクトの生成方法を示す。これは、管制官１２が地図１４１上の任意の点を指定した後、マウス２４等で操作を行うことによって、ＧＩＳ管理モジュール１８２が、空間オブジェクト生成支援画面を出力し、管制官１２が、対象として「対処員」、到達時間として「８分」と入力することによって、マウス２４等で指示した位置から８分以内で対処員が到着できる可能性のある空間が、自動的に空間オブジェクト２０１としてが生成されるものである。
【００７２】
図１４は、地図ビューア１４３上で表示される地図１４１の任意の空間を指定し、この空間に属する監視対象に対して指示を行い、その指示に対する応答を表示する方法を示す図である。
【００７３】
図１２に示すセンサアラームビューア１４２−２は、カメラ制御装置３０、またははセンサ制御装置４０からアラーム情報を受け取ると、その事案に対して案件番号を付与し、事案の概要を表示すると共に、その事案の発生した付近の地図１４１を含む地図ビューア１４３を表示する。管制官１２は、地図ビューア１４３上で表示される地図１４１上に表示されるセンサアイコンオブジェクト１４１−３が点滅していることから、当該センサアイコンオブジェクトと関連づけられたセンサにおいて、異常が発生したことを確認する。次に管制官１２は、この異常を発報してきたセンサの周辺として、空間オブジェクト２１０を作成する。
【００７４】
さらに、空間オブジェクト２１０をマウス等で操作することによって、当該空間オブジェクト２１０に関わるメニュー画面が表示され、メニューの一つである「即時通信」を選択すると、プロパティ画面２２０−２が表示される。さらに本プロパティ画面２２０−２の対象メニュー２２０２から、「制約なし」を選択しメッセージボックス２２０４に、”Ｇｅｔ  ｓｔａｔｕｓ”と記載し、送信ボタン２２０６を押下することで、空間オブジェクト２１０で指定した空間に存在する管理対象物の全てに対して、「現在の状況を報告せよ」と言う内容のメッセージを送信する。
【００７５】
このメッセージ送信後、監視卓制御装置２０のモニタ１４には、それぞれの管理対象から送られてきた現在の状態が、それぞれのステータスビューアに表示される。温度センサステータスビューア２１０−１，２１０−２には、温度センサが測定した温度とその他の情報が表示され、カメラステータスビューア２１０−３には、当該カメラが捉えている映像とその他の情報が表示される。また、対処員ステータスビューア２１０−４、顧客ステータスビューア２１０−５には、それぞれ対処員、顧客の位置、方位、移動速度等が表示される。空間オブジェクト２１０内に多数の管理対象が存在する場合、その対応関係が混乱する恐れがある場合には、管理対象と当該管理対象のステータスビューアとを対応づけるために、対応バー２１０−６，２１０−７，２１０−８，２１０−９，２１０−１０を表示することができる。管制官１２が、当該管理対象のステータスビューアを移動させて場合、当該対応バーも、その対応関係を維持したままで移動する。
【００７６】
図１７を用いて、図１３にて説明した任意の空間に対してメッセージを送付する方法について説明する。メッセージ送信画面２０６の送信ボタン２０６６が押下されると、オブジェクト管理モジュール１８４が、メモリ１０４に、即時通信オブジェクト１２００を生成する。生成された即時通信オブジェクトは、管理対象のオブジェクトであるところのカメラオブジェクト１１４１−２、センサオブジェクト１１４１−３、対処員オブジェクト１１４１−４および、顧客オブジェクトの中から、当該即時通信オブジェクト１２００の対象である温度センサのオブジェクトを検索し、次に、地図オブジェクト１４１０と連携して、当該温度センサオブジェクトから、空間オブジェクト２００の指定する空間に属する該当温度センサオブジェクトを探し出した後、メッセージボックス２０６４のメッセージを送付する。当該メッセージを受け取った当該センサオブジェクトは、センサ制御装置５０にメッセージを送付するなど、独自のオブジェクトの判断で動作する。
【００７７】
なお、当該即時通信オブジェクト１２００は、このメッセージ送付完了後に消滅する。また、前述した「物件に未着で２分以上停止状態の対処員」などのように、状態として定義されたステートメントに関しても、上記に準ずる方法で、オブジェクトを生成し、２分間のオブジェクトの監視し、上記「物件に未着で２分以上停止状態の対処員」を見つけだした後、該当するオブジェクトにメッセージを送付して、そのアイコンオブジェクトを点滅させるなどの処理を行わせることも可能である。上記、図１４の制約なしメッセージの送信に関しても、即時通信オブジェクトを生成し、上記に準ずる方法で実施する。
【００７８】
図１５は、未来時空間オブジェクトの生成方法を示した図である。管制官１２は、地図ビューア１４３上で表示される地図１４１上に、空間オブジェクト２３０を作成する。さらに、空間オブジェクト２３０をマウス等で操作することによって、当該空間オブジェクト２３０に関わるメニュー画面２３２が表示され、そのメニューの一つである「時空間通信」を選択すると、さらにメニュー画面２３４が表示され、そのメニューの一つである「未来時空間」を選択すると、さらにメニュー画面２３６−２が表示され、そのメニューの一つである「時間指定」を選択すると、時間指定メッセージ送信画面２３８−２が表示される。
【００７９】
管制官１２は、時間指定メッセージ送信画面２３８−２では、現在時刻から２時間後までの間に、空間オブジェクト２３０が指定する空間に、顧客が一番最初に入った時に「駅前周辺に火災が発生しています。現場から離れてください」と言うメッセージを送信するように設定をし、これに「時空間Ｂ」と名前を付けて、開始ボタンを押すと、上記の機能が動作を開始し、「時空間Ｂ」という名前のステータスバー２４０が地図ビューア１４３上に、時空間オブジェクトの一つとして登録され、空間オブジェクト２３０の表示が、地図１４１上から一時的に見えなくなる。
【００８０】
このように時間指定メッセージ送信画面２３８−２は、同画面の「一回のみ」メニューをチェックすることによって、未来のある開始時刻とその継続時間を指定することで、指定した時間と空間に対してメッセージを投げることができる他、「繰り返し」メニューを選ぶことによって、繰り返しメッセージを送ることも可能である。
【００８１】
本実施例では、開始時刻として”４／３０  ２１：００”、継続時間として”４５分”、繰返し時間間隔として”７日”を指定しており、一週間に一度９時から４５分間、本時空間通信が起動状態とすることが可能となる。
【００８２】
なお、本システムにおいては、年月日時分秒、その他の時間単位表記を理解するインタプリタがあり、適当な時間表記を自動的に解釈できるものとする。
【００８３】
管制官１２は、当該時空間オブジェクトの空間の表示を、「時空間Ｂ」という名前のステータスバー２４０をマウス２４等で操作することによって、空間オブジェクト２３０と同じ空間として再表示させることが可能であり、当該時空間オブジェクトの内容の表示を、メニュー画面２４２を表示させて、そのメニューの一つである「変更」を選択することによって、時間指定メッセージ送信画面２３８−２として再表示させることができ、さらに、その内容を変更させることも可能である。
【００８４】
また、「消滅」ボタンを押下すると、当該時空間オブジェクトは消滅し、「時空間Ｂ」という名前のステータスバー２４０が地図ビューア１４３から消去される。また、「複製」ボタンを押下すると、メニュー画面２３４が現われ、空間オブジェクト２３０が指定する空間と同じ空間を使って、新しい未来時空間オブジェクト、または、過去時空間オブジェクトを作成することができる。過去時空間オブジェクトについては後述する。
【００８５】
例えば、メニュー画面２３４のメニューの一つである「未来時空間」を選択し、さらにメニュー画面２３６−２のメニューの一つである「時刻指定」を選択すると、時刻指定メッセージ送信画面２４４が表示される。当該時刻指定メッセージ送信画面２４４と、時間指定メッセージ画面２３８でのメッセージ送信は、継続時間の概念がないところ以外は同じであり、時刻指定メッセージ送信では、ある時刻あるいは、繰り返し時刻になった時点で、メッセージを送信する。なお、上記の時空間オブジェクトである「時空間Ｂ」が、当該オブジェクトを生成して２時間後に、その役割を終えて満了に至る時に、警告メッセージ画面２４４を表示する。
【００８６】
「内容を更新して続行」のボタンを押下すると、時間指定メッセージ送信画面２３８−２が表示されて、内容を更新して、当該時空間オブジェクトを継続することが可能である。また「消滅」ボタンを押下すると、当該時空間オブジェクトは消滅し、「時空間Ｂ」という名前のステータスバー２４０が地図ビューア１４３から消去される。なお、当該未来時空間オブジェクトは、同時に複数収納することが可能であり、地図ビューア１４３に登録された複数のステータスバー２４０を操作することで、任意の時に、当該時空間オブジェクトの情報（空間と内容）を表示することが可能である。
【００８７】
また、時刻指定メッセージ送信画面２４４、または、時間指定メッセージ画面２３８においても、図１２のプロパティ画面２２０−２と同じように、対象メニューから、「制約なし」を選択しメッセージボックスに、”Ｇｅｔ  ｓｔａｔｕｓ”と記載することで、指定した未来の時刻に、空間オブジェクトで指定した空間に存在する管理対象物の全てに対して、「現在の状況を報告せよ」と言う内容のメッセージを送信し、当該未来の時刻に、状況を報告させることも可能である。この結果、指定した未来の時刻にモニタ１４に、図１４と同様の表示がされることになる。
【００８８】
図１７を用いて、図１５にて説明した未来時空間通信の実現方法について説明する。時間指定メッセージ画面２３８の開始ボタンが押下されると、オブジェクト管理モジュール１８４が、メモリ１０４に未来時空間通信オブジェクト１２３０を生成する。生成された未来時空間通信オブジェクト１２３０は、指定された時間までメッセージ送信を行わず待機状態に入る。
【００８９】
指定された時間の開始時刻になると起動を開始し、管理対象のオブジェクトであるところのカメラオブジェクト１１４１−２、センサオブジェクト１１４１−３、対処員オブジェクト１１４１−４および、顧客オブジェクトの中から、当該未来時空間オブジェクトの１２３０の対象である顧客オブジェクトを検索し、次に、地図オブジェクト１４１０と連携して、当該顧客オブジェクトから、空間オブジェクト２３０の指定する空間に属する該当顧客オブジェクトを探し出した後、時間指定メッセージ画面２３８のメッセージボックスのメッセージを送信する。
【００９０】
さらに、未来時空間通信オブジェクト１２３０は、指定された時間に、空間オブジェクト２３０の指定する空間に、新たな顧客オブジェクトが存在しているかどうかを定期的にチェックし、存在している場合には、当該時間指定メッセージ画面２３８のメッセージボックスのメッセージを送信する。一方、時刻指定メッセージ画面２４４の開始ボタンが押下されると、オブジェクト管理モジュール１８４が、メモリ１０４に未来時空間通信オブジェクト１２３０−２を生成する。生成された未来時空間通信オブジェクト１２３０−２は、指定された時間までメッセージ送信を行わず待機状態に入る。
【００９１】
指定された時間の開始時刻になると起動を開始し、管理対象のオブジェクトであるところのカメラオブジェクト１１４１−２、センサオブジェクト１１４１−３、対処員オブジェクト１１４１−４および、顧客オブジェクトの中から、当該未来時空間オブジェクトの１２３０の対象である顧客オブジェクトを検索し、次に、地図オブジェクト１４１０と連携して、当該顧客オブジェクトから、空間オブジェクト２３０の指定する空間に属する該当顧客オブジェクトを探し出した後、時間指定メッセージ画面２３８のメッセージボックスのメッセージを送信する。
【００９２】
未来時空間オブジェクト１２３０または１２３０−２は、そのオブジェクトの満了を迎えた時には、警告メッセージ画面２４５を表示し、同画面、またはメニュー画面２４２にて「消滅」が選択された時は、当該未来時空間オブジェクト１２３０または１２３０−２は消滅する。
【００９３】
図１６は、過去時空間オブジェクトの生成方法を示した図である。管制官１２は、地図ビューア１４３上で表示される地図１４１上に、空間オブジェクト３３０を作成する。さらに、空間オブジェクト３３０をマウス等で操作することによって、当該空間オブジェクト３３０に関わるメニュー画面３３２が表示され、そのメニューの一つである「時空間通信」を選択すると、さらにメニュー画面３３４が表示され、そのメニューの一つである「過去時空間」を選択すると、さらにメニュー画面３３６が表示され、そのメニューの一つである「イベント指定」を選択すると、イベント指定過去時空間検索画面３３８が表示される。
【００９４】
管制官１２は、イベント指定過去時空間検索画面３３８で、現在時刻から３０日前までの間に、空間オブジェクト３３０が指定する空間に属する管理対象の全てに対して、上記指定する期間の間に、測定温度が４０度以上になった時刻を探すように指示を行う。実際は、このような命令は、温度センサを管理しているセンサ制御装置３０のセンサ制御モジュール２３６しか受けつけることができないので、温度センサ以外の管理対象はこの指示を無視することになる。このような無視は、即時空間または未来時空間においても同様である。このような指示を行うことで、後述する登録された過去時空間の管理対象は、温度センサに限定されることなく、本命令を解釈できる全ての管理対象において表示されるようになる。
【００９５】
該当する条件の時刻を見つけた場合は、時空間名（ここでは「時空間Ｄ」）を指定して登録すると、時空間Ｄという名前のステータスバー３４０が地図ビューア１４３上に、時空間オブジェクトの一つとして登録される。さらに「登録して続行」のボタンを押下することで、さらに過去に遡って同条件の時刻を探し、見つかった場合には、別の名前で時空間を登録することができる。
【００９６】
なお、イベント指定過去時空間検索画面３３８で、該当する条件の時刻を見つけた場合は、図１４に示すように、地図ビューア１４３上で表示される地図１４１に、その時刻における各管理オブジェクトのステータスを表示させても良く、さらに多数の複数の管理対象のオブジェクトが存在していて見にくい場合は、図１４のプロパティ画面２２０−２が表示させて、対象メニュー２２０２から管理対象を選択して、当該選択した管理対象の情報だけを表示させることもできる。この場合、メッセージボックス２２０４の情報の入力ができなくなる。
【００９７】
また、時空間Ｄという名前のステータスバー３４０をマウス２４等で操作することによっても、上記と同じように図１４に示すように、地図ビューア１４３上で表示される地図１４１に、その時刻における各管理オブジェクトのステータスを表示させ、さらに必要な情報だけを表示させることができる。さらに、時空間Ｄという名前のステータスバー３４０をマウス２４等で操作することによって、メニュー画面３４２を表示させて、そのメニューの一つである「変更」を選択することによって、イベント指定過去時空間検索画面３３８の内容を変更させることができる。
【００９８】
また、「消滅」ボタンを押下すると、当該過去時空間オブジェクトは消滅し、時空間Ｄという名前のステータスバー２４０が地図ビューア１４３から消去される。また、「複製」ボタンを押下すると、メニュー画面３３４が現われ、空間オブジェクト３３０が指定する空間と同じ空間を使って、新しい未来時空間オブジェクト、または、過去時空間オブジェクトを作成することができる。
【００９９】
例えば、メニュー画面３３４のメニューの一つである「過去時空間」を選択し、さらにメニュー画面３３６のメニューの一つである「時刻指定」を選択すると、時刻指定過去時空間検索画面３４４が表示される。対象を「制約なし」とし、メッセージボックスに”Ｇｅｔ  ｓｔａｔｕｓ”と入力し、当該画面の「一回のみ」のメニューから、過去の時刻を指定することによって、その時刻の全管理対象の状況を捉え、それを過去時空間として登録することができる。当該作成された過去時空間の取り扱い方法、および表示方法については、前述の説明に準ずる。
【０１００】
さらに、時刻指定過去時空間検索画面３４４の「繰り返し」のメニューから、開始時刻、繰り返し時間間隔、および終了時刻を指定することによって、複数の過去時空間を一つの過去時空間オブジェクトとして扱うことができる。時空間名（ここでは「時空間Ｅ」）を指定して登録すると、時空間Ｅという名前のステータスバー３４３が地図ビューア１４３上に、時空間オブジェクトの一つとして登録され、このステータスバーをマウス３４等で操作することによって、過去時空間表示コントローラ３４５が表示される。
【０１０１】
当該コントローラの「過去へ」ボタンを押下すると、現在表示されている管理対象の時刻よりさらに古い管理対象の状況を表示し、「未来へ」ボタンを押下すると、現在表示されている管理対象の時刻より新しいの管理対象の状況を表示する。また、指定過去時空間の状況を連続再生画面のように表示させ、その表示速度を変更することも可能であり、過去時空間トレースバー３４９を、マウス等で操作することによって、任意の時刻のステータスビューアを表示することが可能となる。
【０１０２】
図１７を用いて、図１６にて説明した過去時空間通信の実現方法について説明する。イベント指定過去時空間検索画面３３８の「開始」ボタンが押下されると、オブジェクト管理モジュール１８４は、過去時空間オブジェクト１３３０を生成し、当該過去時空間オブジェクトは、ハードディスク１０５の各オブジェクト用の記憶領域１０５１から、検索範囲（開始時刻から過去への遡及時間の間）に存在していたオブジェクトの検索を開始する。オブジェクト管理モジュール１８４が、過去の検索範囲の時間において存在してはいたが、現在は存在していないオブジェクトを発見した場合には、メモリ１０４にこのオブジェクト１１４１−４１を復活させる。
【０１０３】
この時点において、この復活オブジェクト１１４１−４１に関連している管理対象は存在していないので、通信路を構築することなく、それ以外の当該オブジェクト用の記憶領域１０５１のと関連、およびアイコンオブジェクトの生成を行う。本実施例においては、この段階において現在から過去３０日の間に一度でも存在したオブジェクトは、復活することになる。
【０１０４】
次に、過去時空間オブジェクト１３３０は、イベント指定過去時空間検索画面３３８のメッセージボックスの内容に適合した条件の管理対象およびその時刻を探すように、管理対象のオブジェクトであるところのカメラオブジェクト１１４１−２、センサオブジェクト１１４１−３、対処員オブジェクト１１４１−４および、顧客オブジェクトにメッセージを送る。
【０１０５】
現在から過去３０日の間に、上記適合条件に合致した状態を持っていた管理対象は、その旨のメッセージ、およびその時間とそのイベントの内容を過去時空間オブジェクト１３３０に返送する。過去時空間オブジェクト１３３０は、登録してさらに続行するか否かの判断を、管制官１２に行なわせ、管制官１２が「登録して続行」を指示してきた場合には、上記のその旨のメッセージ、およびその時間とそのイベントの内容を保持したまま、別の過去時空間オブジェクト１３３０−２を生成する。過去時空間オブジェクト１３３０によって、生成された別の過去時空間オブジェクト１３３０−２は、同様の処理を行い、当該条件に合致した状態を探し、見つかる度に新しい過去時空間として登録されることになる。
【０１０６】
次に管制官１２が、時空間Ｄという名前のステータスバー３４０をマウス２４等で操作することによって、メニュー画面３４２を表示させて、そのメニューの一つである「表示」を選択すると、過去時空間オブジェクト１３３０は、当該オブジェクトが保持しているその旨のメッセージ、およびその時間とそのイベントの内容の内の「その時間」を指定して、管理対象のオブジェクトであるところのカメラオブジェクト１１４１−２、センサオブジェクト１１４１−３、対処員オブジェクト１１４１−４および、顧客オブジェクトに対して、その時刻の各オブジェクトのステータスを通知するように指示を行う。
【０１０７】
過去時空間オブジェクト１３３０が上記の処理を行うことによって、当該「その時間」における、過去の時空間の管理対象の状態が、図１４の態様で表示されることになる。時刻指定過去時空間検索画面３４４の「一回のみ」のメニューも、上記方法に同様の方法で実現される。
【０１０８】
時刻指定過去時空間検索画面３４４の「繰り返し」のメニューの場合は、過去時空間オブジェクト１３３０が、複数の当該「その時間」を所有し、過去時空間表示コントローラ３４５のボタンが押下される度、または、過去時空間トレースバー３４９をマウス等で操作される度、または、倍速表示が指定された場合は、その倍速の頻度で、上記方法と同様の方法を実施することで実現される。ただしこの場合、新しい表示をする前に、前回の表示を消す旨、各オブジェクトに通知する。
【０１０９】
以上、本実施例で説明した即時空間オブジェクト、未来時空間オブジェクト、過去時空間オブジェクトは、それぞれ独自で動作するものであり、ある時空間オブジェクトが他の時空間オブジェクトを含む、他のオブジェクトやシステムの動作に波及させるものではない。
【実施例２】
【０１１０】
実施例２におけるシステム構成、およびシステム構成要素であるハードウェア、およびハードウェアに具備されるソフトウェアのそれぞれは、実施例１と一部を除いて同じである。
【０１１１】
図１９は、本実施例のメッセージ通信装置７０のソフトウェア構成を示した図であり、時空間制御モジュール７６１が追加されていること以外は、図９の構成に同じである。
【０１１２】
本実施例は、管理対象が多数であっても、確実なメッセージ送信を可能にするものである。
【０１１３】
図１３は、地図ビューア１４３上で表示される地図１４１の任意の空間を指定し、この空間に属する監視対象に対して指示を行う方法を示す図である。ここに、対処員１−１が所有しているメッセージ通信装置７０−１の位置は、監視卓制御装置２０によって指定された、あるいは予め設定された適当なトラッキング時間間隔で、当該メッセージ通信装置７０−１自身によって送信され、対処員オブジェクト１１４１−４に伝えられたものとなる。その為、図１３に示すような即時通信を実現するに際しては、地図１４１上の当該対処員オブジェクト１１４１−４が示す位置と、実際の対処員１−１の存在する位置とが異なることになる。
【０１１４】
実施例１において、例えば、管理対象である対処員が６００００人であり、監視卓制御装置２０のトラッキング性能が、毎秒６０対象であったとした場合、トラッキング時間間隔は１０００秒を必要とする。対処員が時速４ｋｍで歩行すると仮定した場合、当該対処員オブジェクト１１４１−４が示す位置と、実際の対処員１−１の存在する位置の差は１ｋｍ以上となることもあり、対処員が自転車や自動車で移動していた場合は、その差はさらに大きくなる。従って、地図１４１で指定された空間が直径１ｋｍの円よりも小さい場合など、当該空間に属する対処員にメッセージが送達されなくなる場合がありえる。
【０１１５】
本実施例は、上述の場合でも、メッセージ送信が確実に行えるものであり、対処員オブジェクト１１４１−４は、以下の処理を行う。なお当該処理は、実施例１の処理と並行して行っても良い。
【０１１６】
対処員オブジェクト１１４１−４は、図１７の即時通信オブジェクト１２００の追加を検知すると、当該即時通信オブジェクト１２００から空間オブジェクト２００が構成する空間情報を取得する。例えば、当該空間オブジェクト２００が構成する円形の２次元平面の中心座標とその半径の距離等などである。また、これとは逆に、即時通信オブジェクト１２００が、対処員オブジェクト１１４１−４に対して、該当する空間の情報を送信するようにしても良い。
【０１１７】
図２０は、即時空間オブジェクト情報を、メッセージ通信装置７０−１に送信する場合の判断基準を図示したものである。
【０１１８】
対処員オブジェクト１１４１−４は、対処員オブジェクト１１４１−４が所有している対処員１−１のメッセージ通信装置７０−１の位置座標と、空間オブジェクト２００が構成する空間情報とを比較する。そして、対処員のメッセージ通信装置の位置座標が当該空間２００のみならず、当該空間を含む広い空間（２００−１）に含まれている場合、あるいは、過去の対処員の位置座標から移動ベクトルを算出して、現時点において当該空間に属している可能性があると判断した場合（２００−２）に、対処員オブジェクト１１４１−４は、当該即時通信オブジェクト１２００から取得した当該空間オブジェクト２００が構成する空間情報を、当該メッセージ通信装置７０−１に送信する。
【０１１９】
メッセージ通信装置７０−１は、図１９のネットワーク制御ドライバ７７２、通信管理モジュール７７０を介して、時空間制御モジュール７６１にて当該空間情報を受信する。時空間制御モジュール７６１は、直ちにセンサ制御処理モジュール７５２、入出力装置制御ドライバ７５０、図５に示すＧＰＳレシーバモジュール７２４を介して、ＧＰＳレシーバ７２６からメッセージ通信装置７０−１の現在位置を取得し、メッセージ通信装置７０−１が当該空間に属しているかどうかを判定し、その結果を、直ちに図１９の通信管理モジュール７７０、ネットワーク制御ドライバ７７２を介して、対処員オブジェクト１１４１−４に通知する。
【０１２０】
対処員オブジェクト１１４１−４は、メッセージ通信装置７０−１より当該空間に属している旨の情報を受け取った場合には、それを即時通信オブジェクト１２００に通知し、即時通信オブジェクト１２００は、メッセージボックス２０６４のメッセージを対処員オブジェクト１１４１−４に送信し、さらに対処員オブジェクト１１４１−４はメッセージ通信装置７０−１に転送する。当該メッセージは、ネットワーク制御ドライバ７７２、通信管理モジュール７７０、モニタ制御処理モジュール７６０、図５のモニタコントローラ７１６を介して、モニタ７１８に表示される。
【０１２１】
以上の処理を行うことにより、監視卓制御装置２０のトラッキング性能に比べて、対処員の数が膨大な時においても、メッセージ通信装置７０−１自身に自己の位置情報を報告させることによって、メッセージを確実に送達できるようになる。
【０１２２】
未来時空間通信を実現する場合において、上記即時通信を行う際に生じるトラッキング性能の問題に対しては、未来の時刻または時間における、対処員１−１が所有するメッセージ通信装置の位置を、現段階で予測することは困難であるから、前述の方法において、空間情報に、未来の時間または時刻を付加するだけでは足りない。
【０１２３】
また、未来時空間が構成する時刻または時間または位置と全然関係がないことが明らかである対処員のメッセージ通信装置にまで、当該未来時空間が構成する情報を送信するのは、単に通信コストの増大を招くだけではなく、その通信に要する時間を無視することができない。
【０１２４】
たとえば、東京地区のみに関係のある未来時空間を指定する情報を、例えば全国に分散して展開されている数千から数万の対処員のメッセージ通信装置に送信し、そのメッセージを全部送り終えるのに必要となる時間を考えてみれば自明であり、全メッセージを送信し終えた時には、すでに当該時刻または時間を過ぎてしまっているという状況が十分に考えられる。
【０１２５】
そこで、図１５に示すような未来時空間に属する蓋然性の高い管理対象を予測して、その管理対象に未来時空間を指定する情報を送付する方法の一態様について、以下に述べる。なお当該処理は、実施例１の処理に並行して行っても良い。
【０１２６】
対処員オブジェクト１１４１−４は、図１７に示す未来時空間オブジェクト１２３０の追加を検知すると、当該未来時空間オブジェクト１２３０から空間オブジェクト２３０が構成する空間情報と時間情報を取得する。また、これとは逆に、未来時空間オブジェクト１２３０が、対処員オブジェクト１１４１−４に対して、該当する空間または時刻または時間の情報を送信するようにしても良い。
【０１２７】
当該空間オブジェクト２３０が構成する空間情報とは、例えば、円形の２次元平面の中心座標とその半径の距離等などであり、当該空間オブジェクト２３０が構成する時間情報とは、例えば、図１５の時刻指定メッセージ送信画面２４４または２３８で指定する開始時刻、継続時間、繰り返し時間間隔である。
【０１２８】
対処員オブジェクト１１４１−４は、対処員オブジェクト１１４１−４が所有している対処員の位置座標と、空間オブジェクト２３０が構成する空間情報と時間情報を比較して、対処員１−１のメッセージ通信装置７０−１位置座標が、当該時間または時刻において、当該空間に含まれる可能性があると判断した場合に、当該未来時空間オブジェクト１２３０から取得した当該空間オブジェクト２３０が構成する空間情報と時間情報を、当該メッセージ通信装置７０−１に送信する。
【０１２９】
図２１は、対処員オブジェクト１１４１−４が、対処員１−１のメッセージ通信装置７０−１が当該時間または時刻において、当該空間に含まれる可能性があると判断する基準を図示したものである。
【０１３０】
未来時空間オブジェクト１２３０が所有する空間情報と時間情報は、それぞれ２次元座標ｘ−ｙで示される空間２３０と、開始時刻１３：４５、継続時間１時間１５分（終了時刻１５：００）である。すなわち、図２１は、空間２３０に１３：４５から１５：００までの間に属した対処員のメッセージ通信装置にメッセージを送ることを例示するものである。以下、空間２００−２における１３：４５から１５：００までの間の時間と空間を「時空間Ｅ」と称する。
【０１３１】
まず、対処員オブジェクト１１４１−４は、時空間Ｅの開始時刻の３０分前において、対処員オブジェクト１１４１−４が、対処員１−１の所有するメッセージ通信装置７０−１から取得した最新の位置情報を用いて、空間２００−２を包含する広い空間２３０−３に、対処員１−１が属しているか否かを調べる。
【０１３２】
広い空間を用いるのは、３０分後に対処員オブジェクト１１４１−４が時空間Ｅに属する可能性を担保することと、対処員オブジェクト１１４１−４が所有している対処員１−１の位置情報と当該時刻における対処員１−１の実際の位置との差を考慮している為である。
【０１３３】
さらに、対処員１−１の過去の位置座標から移動ベクトルを算出して、時空間Ｅに属する可能性があるか否かも調べる。この可能性に関しては、対処員１−１の位置座標から算出された移動ベクトルから算出する、１３：４５から１５：００までの上記時間帯に予測される位置座標が、１３：１５の時点においては空間２３０−２に、１３：３０の時点においては、空間２３０−４に含まれるか否かで判断してもよい。
【０１３４】
このように、対処員オブジェクト１１４１−４が現段階で所有している対処員１−１のメッセージ通信装置７０−１の位置が、空間２３０−３に属している、または時空間Ｅに属する可能性があると判断された場合、対処員オブジェクト１１４１−４は、当該未来時空間通信オブジェクト１２３０から取得した時空間Ｅの情報を、当該メッセージ通信装置７０−１に送信する。
【０１３５】
次に、対処員オブジェクト１１４１−４は、時空間Ｅの開始時刻の１５分前において、対処員オブジェクト１１４１−４が所有している対処員１−１の位置情報、すなわち、対処員１−１の所有するメッセージ通信装置７０−１から取得した最新の位置情報を用いて、空間２３０を包含し、広い空間２３０−３より狭い空間２３０−４に、対処員１−１のメッセージ通信装置７０−１が属しているか否かを調べる。
【０１３６】
これは、１５分後に対処員オブジェクト１１４１−４が時空間Ｅに属する可能性を担保することと、対処員オブジェクト１１４１−４が所有している対処員１−１の位置情報と当該時刻における対処員１−１の実際の位置との差を考慮している為である。
【０１３７】
また、過去の対処員１−１の位置座標から移動ベクトルを算出して、時空間Ｅに属する可能性の有無を再度調べる。
【０１３８】
このように、対処員オブジェクト１１４１−４が現段階で所有している対処員１−１のメッセージ通信装置７０−１の位置が、空間２３０−４に属している、または時空間Ｅに属する可能性があると判断された場合、対処員オブジェクト１１４１−４は、当該未来時空間通信オブジェクト１２３０から取得した時空間Ｅの情報を、当該メッセージ通信装置７０−１に送信する。ただし、メッセージ通信装置７０−１にすでに時空間Ｅの情報を送付済みであれば、再送は行わない。
【０１３９】
さらに、対処員オブジェクト１１４１−４は、時空間Ｅの開始時刻１３：４５から終了時刻１５：００までの１５分間隔のそれぞれの時刻において、対処員オブジェクト１１４１−４が所有している対処員１−１の位置情報、すなわち、対処員１−１の所有するメッセージ通信装置７０−１から取得した最新の位置情報を用いて、対処員１−１が空間２３０に属しているか否かを調べ、さらに過去の対処員１−１の位置座標から移動ベクトルを算出して、時空間Ｅに属する可能性があるか否かも調べる。
【０１４０】
時空間Ｅに属する可能性があると判断された場合、対処員オブジェクト１１４１−４は、当該未来時空間通信オブジェクト１２３０から取得した時空間Ｅの情報を、当該メッセージ通信装置７０−１に送信する。ただし、メッセージ通信装置７０−１にすでに時空間Ｅの情報を送付済みであれば、再送は行わない。
【０１４１】
次に、時空間Ｅの情報を受信するメッセージ通信装置７０−１に関して説明する。
【０１４２】
メッセージ通信装置７０−１では、図２１のネットワーク制御ドライバ７７２、通信管理モジュール７７０を介して、時空間制御モジュール７６１が当該時空間Ｅの情報を受信する。
【０１４３】
ここに時空間制御モジュール７６１は、当該時空間Ｅをメモリ上に記録し、当該時空間Ｅの開始時刻である１３：４５になった段階で、時空間制御モジュール７６１は、センサ制御処理モジュール７５２、入出力装置制御ドライバ７５０、図５に示すＧＰＳレシーバモジュール７２４を介して、ＧＰＳレシーバ７２６から、メッセージ通信装置７０−１の現在位置を、当該時空間Ｅの終了時刻１５：００になるまで、予め設定された時間間隔（例えば１０秒間隔）で定期的に取得し、メッセージ通信装置７０−１が時空間Ｅに属しているかをチェックする。
【０１４４】
時空間制御モジュール７６１が、通信装置７０−１が当該時空間Ｅに属していると判定した場合には、直ちに図２１の通信管理モジュール７７０、ネットワーク制御ドライバ７７２を介して、対処員オブジェクト１１４１−４に通知する。
【０１４５】
対処員オブジェクト１１４１−４は、メッセージ通信装置７０−１より当該空間に属している旨の情報を受け取った場合には、それを未来時通信オブジェクト１２３０に通知し、未来時空間通信オブジェクト１２３０は、時刻指定メッセージ画面２４４のメッセージボックスのメッセージ、または、時間指定メッセージ画面２３８のメッセージボックスのメッセージを対処員オブジェクト１１４１−４に送信し、さらに対処員オブジェクト１１４１−４はメッセージ通信装置７０−１に転送する。当該メッセージは、ネットワーク制御ドライバ７７２、通信管理モジュール７７０、モニタ制御処理モジュール７６０、図５のモニタコントローラ７１６を介して、モニタ７１８に表示される。
【０１４６】
時空間制御モジュール７６１は、メモリ上に記録された当該時空間Ｅの情報を、その存続期間を経過するとメモリ上から消去するものとする。
【０１４７】
また、時空間制御モジュール７６１は、複数の時空間の情報を格納し、かつ、それぞれの時空間毎に処理を実施できるものとする。
【０１４８】
図１６に示すような過去時空間通信を実現するに際しては、対処員オブジェクト１１４１−４の所有しているトラッキング情報とメッセージ通信装置７０−１が所有しているトラッキング情報には、その精度において差が生じる場合がある。例えば、対処員オブジェクト１１４１−４は、例えば１５分に１回の位置情報の更新を行っているのに対して、メッセージ通信装置７０−１では、自律的に位置測定を行い、例えば１０秒に１回の測位情報を保持する場合が、これに相当する。
【０１４９】
過去時空間の概念を用いて、過去の情報を収集する場合において、より精度の高い情報が必要とされる場合、メッセージ通信装置７０−１高精度のトラッキング情報を使用することが望ましい。
【０１５０】
そこで、当該時刻または時間に当該空間に属した、すなわち過去時空間に属していた蓋然性の高い管理対象を予測して、その管理対象に過去時空間を指定する情報を送付する方法の一態様について、以下に述べる。なお当該処理は、実施例１の処理に追加して行っても良い。
【０１５１】
図２２は、過去時空間オブジェクト情報を送る場合の判断基準を図示したものである。
【０１５２】
対処員オブジェクト１１４１−４は、過去時空間オブジェクト１３３０の追加を検知すると、当該過去時空間オブジェクト１３３０から空間オブジェクト３３０が構成する空間情報と時間情報を取得する。なお当該空間情報と時間情報から構成される空間と時間を、ここでは時空間Ｈと呼ぶものとする。
【０１５３】
ここに、空間オブジェクト３３０の空間情報とは、例えば、円形の２次元平面の中心座標とその半径の距離等などであり、時間情報とは、例えば、図１６の時刻指定メッセージ送信画面３４４または３３８で指定する時刻（過去時刻のみ）、繰り返し開始時刻、繰り返し時間間隔、終了時刻、検索範囲の開始時間、または遡及時間である。
【０１５４】
対処員オブジェクト１１４１−４は、対処員オブジェクト１１４１−４が所有している対処員１−１のメッセージ通信装置７０−１の位置座標と、時空間Ｈの空間情報と時間情報を比較して、対処員１−１のメッセージ通信装置７０−１の位置座標が、当該時間または時刻において、時空間Ｈに含まれていた可能性があると判断した場合に、当該過去時空間オブジェクト１３３０から取得した時空間Ｈを指定する情報を、当該メッセージ通信装置７０−１に送信する。
【０１５５】
時空間Ｈに含まれていた可能性があるか否かを判断する方法としては、図１７のオブジェクト用の記憶領域１０５１に記録されている対処員の位置座標の過去の履歴を、時空間Ｈあるいは、時空間Ｈより広い空間と時刻から構成される時空間の情報と比較することによって判断する。時空間Ｈより広い時空間をも判定に用いる理由は、対処員オブジェクト１１４１−４が所有している対処員の位置座標の過去の履歴と、対処員１−１の実際の位置情報との位置との差を考慮している為である。
【０１５６】
図２２に空間オブジェクト３３０、開始時刻１１：０５、終了時刻１１：５０からなる時空間Ｈと、時空間Ｈより広い空間と時刻から構成される時空間Ｈ’を図示する。
【０１５７】
対処員オブジェクト１１４１−４が、時空間Ｈに含まれていた可能性があると判断した場合は、当該過去時空間通信オブジェクト１３３０から取得した時空間Ｈの情報をメッセージ通信装置７０−１に送信する。
【０１５８】
メッセージ通信装置７０−１は、図２１のネットワーク制御ドライバ７７２、通信管理モジュール７７０を介して、時空間制御モジュール７６１にて当該空間情報を受信する。時空間制御モジュール７６１は、直ちに、図５に示すハードディスクコントローラ７３７を介して、ハードディスク７３６から、当該時空間Ｈに属する時空間を構成する情報を取り出し、その結果を、直ちに図１９の通信管理モジュール７７０、ネットワーク制御ドライバ７７２を介して、対処員オブジェクト１１４１−４に通知する。
【０１５９】
対処員オブジェクト１１４１−４は、それを過去時空間通信オブジェクト１３３０に通知し、以後、実施例１に準ずる処理を行う。
【実施例３】
【０１６０】
実施例１または実施例２において使用する空間は、円、楕円等の数式で表現可能な空間である（この他、線形式によって定義可能な直方体、台形等含む）が、数式による表現に限定しない空間の指定方式に関して以下述べる。
【０１６１】
図２３は、日本国神奈川県に属する空間を示す図である。
【０１６２】
神奈川県全域を包含する長方形の空間の左上と右下の位置座標を取得した上で、当該空間を適当な距離（ここでは２１００メートル）からなる複数の正方形からなる空間に分割し（ここでは、１４×１１の１５１分割）、神奈川県の属する地域が分割した空間内の半分以上を占める場合には、当該分割した空間に”１”のフラグを立て、そうでない場合には”０”のフラグを立てる。
【０１６３】
このようにすることで、左上右下座標、分割空間の縦横数、分割空間の一辺の距離、地図を表現する情報を用いることで、幾何学的空間に限定しない空間の指定が可能となる。なお、図２３の地図を表現する情報は１５１ビット、アスキー文字２０文字程度の情報で足りる。
【０１６４】
管制官１２は、マウス２３等を使って、地図ビューア１４３上で表示される地図１４１上の任意の空間として、上記空間をこれを時空間オブジェクトとして定義することが可能である。
【０１６５】
即時通信オブジェクト１２００、未来時空間通信オブジェクト１２３０、過去時空間オブジェクト１３３０、カメラオブジェクト１１４１−２、センサオブジェクト１１４１−３、対処員オブジェクト１１４１−４、およびメッセージ通信装置７０−１の時空間制御モジュール７６１も上記情報を用いることで、幾何学的空間に限定しない空間を使った実施例１または実施例２の実施を行うことが可能となる。
【０１６６】
なお本実施例においては、対象とする空間を包含する図形を長方形、分割空間を正方形としているが、円、長方形、その他の形状でも構わず、分割空間のサイズ等も目的に応じて変更しても良い。また、情報量を削減する為に、幾何学的空間を表現する方法と本方式を併用して使用しても構わない。
【０１６７】
さらに、実施例２において、「当該空間より広い空間」と言う概念を用いているが、このような「広い空間」としては、当該空間を占める”１”のフラグからなる空間に隣接する”０”のフラグからなる空間に、”１”のフラグを立てる等の処理によって、容易に作成可能である。
【０１６８】
なお、実施例１または実施例２において使用する空間は、携帯電話のセルラー方式におけるセルであっても構わない。
【０１６９】
また、実施例１または実施例２におけるカメラ３０、センサ５０、メッセージ通信装置７０の位置測位方法は、ＧＰＳ等の自立測位装置を用いる方法のほか、無線ＬＡＮやキャリアが提供する測位方式、ネットワークのアドレス（例えば、ＩＰアドレスのセグメント情報）を使った位置特定方法、あるいはカメラ３０、センサ５０、メッセージ通信装置７０の使用者または管理人が手動で入力する方法等を含み、特別な限定はない。
【実施例４】
【０１７０】
図２４と図２５は、本発明を鉄道・交通分野のサービスに適用した事例を示す図である。
【０１７１】
図２４では、事故発生地点付近の空間にメッセージを送付しておくことによって、駅や列車を限定することなく、当該空間に属した駅や列車にメッセージを送付することが可能となる様子を示したものである。
【０１７２】
このように当該空間に、具体的にどのような通信対象（駅、電車）が存在しているかを考慮することなく、指定した時間または時刻、指定した空間にメッセージの通信を行えるだけでなく、通信対象の種類（駅、電車）や性質（移動している、移動していない等）に関係なく、メッセージを送ることが可能とするものである。  図２５においては、実施例１における監視卓制御装置２０の機能を、ユーザの携帯に具備した実施の形態を示している。なお当該形態には、監視卓制御装置２０の機能の一部、例えば、監視卓制御装置２０と画面を共有する機能だけを具備していてもよい。  ユーザは携帯電話からバスを指定して（ここでは、A商店街前でX駅行きのバス）、指定した空間と時間内（ここでは、７：３０から７：４０）にバスの進入を検知した場合に、その検知を通知するサービスを示している。このようなサービスによって、ユーザはバスのダイヤの乱れに関わりなく、バス停に向かえば良いので、バス停において長時間バスを待つ必要がなくなる。
【０１７３】
このように本実施例は、図１２に示す地図１４１上に表示されるセンサアイコンオブジェクト１４１−３の点滅が例示する、固定的に設置された通信対象からのアラームだけでなく、移動している物体が、時空間に属した時点を契機として、監視卓制御装置２０の機能を有するユーザの携帯に通知することが可能とするものである。さらに、移動している物体の性質（ここでは、A商店街からX駅前に向かうバス）を付与することで、通知の条件を限定することも可能である。
【０１７４】
また、空間を指定することによって、その空間に応じた広告メッセージを配信することも可能である。例えば、新築マンションの周辺を指定して広告メッセージを送ることで、バスの乗客は当該マンションの近くに至った時に、『右手に見えるマンション「AAA」のモデルルームは、次の停留場からすぐ！夜２０時までやっております』なるメッセージを受信することが可能となる。
【０１７５】
このように本実施例では、「次の停留場からすぐ！」のように、当該乗客がバスにのっていること（例えば、乗客の移動に係わる速度がある特定の場所(停留所等)で０kmとなるような検知が得られる等）の他、「右手に見えるマンション」のように方向を指定できるように、広告メッセージを受信する乗客の進行方向（移動ベクトル）や、「夜２０時までやっております」なるように、乗客が当該マンションの近くの空間を通過した時間を考慮して、メッセージの送信を指定することを可能とするものである。
【０１７６】
なお、図２４または２５に示す本実施例は、実施例１の実施の態様によって実現可能である。
【実施例５】
【０１７７】
図２６は、本発明をオフィス環境に適用した事例を示す図である。
【０１７８】
本実施においては、ある時期から定期的に書類提出を促すメールを、「Ａ」なる人物に毎日送付するだけでなく、その「Ａ」の周辺の空間を指定して、その空間に属する人物にもメールを配送するものである。
【０１７９】
このようなメールの配送によって、当該「Ａ」なる人物ではなく、その人物Ａの業務の関係者にもメールが送られることになり、かりに人物「A」が欠勤、出張していても、同じチームの同僚が対応可能、業務の迅速化に貢献することになる。
【０１８０】
本実施例は、座席の位置に応じて、メールによる送信を行うものであるので、例えば、当該人物Ａの上司が別のフロアに在籍していた場合、あるいは同僚が、別の事業部に派遣中の場合などは、単なる座席の位置だけでは、当該関係者にはメールが届かない。このような場合には、単に、当該上司、または派遣中の同僚の位置座標情報を、当該人物Ａの座標近辺の座標情報として登録することで、物理的に近辺にいなくても、本実施例の効果を享受できる。
【０１８１】
なお、図２６に示す本実施例は、実施例１の実施の態様によって実現可能である。
【実施例６】
【０１８２】
図２７は、本発明をアミューズメントの待ち行列に適用して、列に並ばなければならない場合における問題を解決するものである。
【０１８３】
例えば授乳や、おしめの取り替えが不定期に必要となる幼児を抱える保護者、介助が必要な老人、大人しく同じ場所で待っている忍耐力に欠ける子供にとって、長時間の同じ場所での起立状態を保持する行為は、苦痛を伴うことがある（図２７上図）。
【０１８４】
本実施形態を利用することによって、券売機で発券を行う際に、携帯の電話番号あるいはメールアドレスを、自動または手動で登録しておき、入場希望者が、そのアトラクションの入口の周辺（例えば、２００メートル以内）にいれば、券売機で発券の順番に応じて、一定間隔時間（例えば１０秒）で呼び出すようにすることができ、入場を管理するものは、その携帯等の画面を見て、正当な権限を持つ入場者であることを確認した上で、入場を許可することができる。
【０１８５】
本実施形態の仕組みを、図１７を用いて説明する。
【０１８６】
券売機で発券を行うことによって、入場希望者のオブジェクト１１４１−４が生成され、このオブジェクトには、入場希望者の電話番号あるいはメールアドレスと、発券の順番の番号を保持しているものとする。次の入場希望者の発券がされると、別の入場希望者のオブジェクトが生成され、そのオブジェクトのＩＤがオブジェクト１１４１−４にも登録される。このように入場希望者のオブジェクトは、登録された順番でリンクして繋がれることになる。
【０１８７】
なお、アトラクションの入場が開始されてから、アトラクションが開演されるまでの間においても、入場希望者のオブジェクトは上記と同様の手続きで生成され、リンクして繋がれる。
【０１８８】
アトラクションの入場開始時刻と入場を通知する空間が登録されている未来時空間１２３０は、当該入場開始時刻になると起動を開始して、当該空間に属する入場希望者のオブジェクトの全てにメッセージ（「入場して下さい」等）を転送するが、入場希望者のオブジェクトは入場希望者に直ちにメッセージを送らずに、当該入場希望者のオブジェクトの直前に登録された他の入場希望者のオブジェクトから、メッセージ送信完了の報告を受けるまで待機する。
【０１８９】
また、当該入場希望者のオブジェクトは、入場希望者にメッセージを送信した後、たとえば１０秒待機した後で、当該入場希望者のオブジェクトが登録された直後のオブジェクトにメッセージ送信完了の報告を通達する。当該報告を受けたオブジェクト（他の入場希望者のオブジェクト）は、入場希望者にメッセージ（「入場して下さい」等）を送る。
【０１９０】
なお、アトラクションの入場が開始されてから、アトラクションが開演されるまでの間追加された入場希望者のオブジェクトに対しても、未来時空間１２３０がその追加を検知した段階で、メッセージ（「入場して下さい」等）を転送する。
【０１９１】
このように、オブジェクトに対して一斉にメッセージを送るのではなく、入場希望者が登録された順番に次々とメッセージが送られるので、入場希望者は、物理的な行列の場所に拘束されることなく、仮想的な行列に並んでいることになり、行列に並ぶという肉体的苦痛から解放され、さらに入口付近の混雑の防止にも貢献することとなる。
【図面の簡単な説明】
【０１９２】
【図１】本実施例の監視系システムのシステム構成図である。
【図２】監視卓制御装置２０のハード構成を示した図である。
【図３】カメラ制御装置３０のハードウェア構成を示した図である。
【図４】センサ制御装置５０のハード構成を示した図である。
【図５】メッセージ通信装置７０のハードウェア構成を示した図である。
【図６】監視卓制御装置２０のソフトウェアの構成を示した図である。
【図７】カメラ制御装置３０のソフトウェア構成を示した図である。
【図８】センサ制御装置５０のソフトウェアの構成を示した図である。
【図９】メッセージ通信装置７０のソフトウェア構成を示した図である。
【図１０】地図ビューア１４３上の地図１４１を示す図である。
【図１１】管理対象のシステム参入および撤収の処理を示す図である。
【図１２】モニタ１４上に表示されるウィンドウ、ビューアを示す図である。
【図１３】即時空間通信の処理を示す図である。
【図１４】即時空間通信の処理を示す図である。
【図１５】未来時空間通信の処理を示す図である。
【図１６】過去時空間通信の処理を示す図である。
【図１７】管理対象オブジェクト、時空間オブジェクト等を示す図である。
【図１８】空間オブジェクト２０１を示す図である。
【図１９】実施例２におけるカメラ制御装置３０のソフトウェア構成を示す図である。
【図２０】即時空間オブジェクト情報を送る場合の判断基準を図示したものである。
【図２１】未来時空間オブジェクト情報を送る場合の判断基準を図示したものである。
【図２２】過去時空間オブジェクト情報を送る場合の判断基準を図示したものである。
【図２３】日本国神奈川県に属する空間を示す図である。
【図２４】本発明を鉄道・交通分野のサービスに適用した事例を示す図である。
【図２５】本発明を鉄道・交通分野のサービスに適用した事例を示す図である。
【図２６】本発明をオフィス環境に適用した事例を示した図である。
【図２７】本発明をアミューズメントの待ち行列に適用した事例を示す図である。
【符号の説明】
【０１９３】
１４７−２：ステータスビューア、１４５：プロパティビューア、１４６−２：メニュー画面、１５０−２：間取り図、１４８−２：プロパティビューア、１４１−２：カメラアイコンオブジェクト、１４２−２：センサアラームビューア、１４３：地図ビューア、１４４−２：メニュー画面、１４１−１：物件アイコンオブジェクト、１４１−４：対処員アイコンオブジェクト、１５４：メッセージ通知ビューア、１４９：メニュー画面、１５２：ステータスビューア、１５１−２：プロパティビューア、２００：空間オブジェクト、２０２：メニュー画面、２０４−２：ステータスビューア、２０６：メッセージ送信画面、２０６４：メッセージボックス、２０６６：送信ボタン、２０８：メッセージ送信画面、２０８２：メッセージ、２１０：空間オブジェクト、２１０−１、２１０−２：温度センサステータスビューア、２１０−３：カメラステータスビューア、２１０−４：対処員ステータスビューア、２１０−５：顧客ステータスビューア、２１０−６、２１０−７、２１０−８、２１０−９、２１０−１０：対応バー、２２０−２：プロパティ画面、２２０２：対象メニュー、２２０４：メッセージボックス、２２０６：送信ボタン。
【図１】
2005006290.tif 000003
【図２】
2005006290.tif 000004
【図３】
2005006290.tif 000005
【図４】
2005006290.tif 000006
【図５】
2005006290.tif 000007
【図６】
2005006290.tif 000008
【図７】
2005006290.tif 000009
【図８】
2005006290.tif 000010
【図９】
2005006290.tif 000011
【図１０】
2005006290.tif 000012
【図１１】
2005006290.tif 000013
【図１２】
2005006290.tif 000014
【図１３】
2005006290.tif 000015
【図１４】
2005006290.tif 000016
【図１５】
2005006290.tif 000017
【図１６】
2005006290.tif 000018
【図１７】
2005006290.tif 000019
【図１８】
2005006290.tif 000020
【図１９】
2005006290.tif 000021
【図２０】
2005006290.tif 000022
【図２１】
2005006290.tif 000023
【図２２】
2005006290.tif 000024
【図２３】
2005006290.tif 000025
【図２４】
2005006290.tif 000026
【図２５】
2005006290.tif 000027
【図２６】
2005006290.tif 000028
【図２７】
2005006290.tif 000029